(57)【要約】【課題】光ディスク装置において、データ記録時の記録パワーを最適化する。【解決手段】システムコントローラ３２は、光ディスク１０のテストエリアに記録パワーを変化させてテストデータを記録し、γ値や変調度に基づき記録パワーＰｏを選択し、Ｐｗ＝ρ・Ｐｏにより最適記録パワーＰｗを仮設定する。システムコントローラ３２は、その後、仮設定された最適記録パワーでランダムデータを２〜３ＥＣＣブロック分記録し、再生信号の変調度やエラーレートに応じて係数ρを増減変更し最適記録パワーＰｗを微調整する。【選択図】図１
2006099900.tif 000002
【特許請求の範囲】
【請求項１】
光ディスクに対してデータの記録を行う光ディスク装置であって、
光ピックアップと、
前記光ピックアップから射出されるレーザ光の記録パワーを複数段に変化させて前記光ディスクのテストエリアにテストデータを記録し、該テストデータを再生して得られる第１再生信号品質から仮最適記録パワーを選択する仮選択手段と、
前記仮最適記録パワーで前記テストエリアに任意の有効なデータを記録し、該データを再生して得られる第２再生信号品質から前記仮最適記録パワーを調整することで最適記録パワーを設定する設定手段と、
前記最適記録パワーで前記光ディスクのデータエリアにデータを記録する記録手段と、
を有することを特徴とする光ディスク装置。
【請求項２】
請求項１記載の装置において、
前記第２再生信号品質は、前記光ピックアップの前記光ディスクに対するチルト角を変化させたときのジッタ量変化を含み、
前記設定手段は、前記ジッタ量が最小となるチルト角に前記光ピックアップを制御し、さらに前記最適記録パワーを設定することを特徴とする光ディスク装置。
【請求項３】
請求項１、２のいずれかに記載の装置において、
前記第１再生信号品質は、β値、γ値、変調度、アシンメトリのいずれかを含み、
前記第２再生信号品質は、β値、γ値、変調度、アシンメトリ、エラーレートのいずれかを含み、
前記仮選択手段は、前記第１再生信号品質が所定値となるように選択された記録パワーＰｏに対して係数ρ（ρ≧１．０）を乗じることで前記仮最適記録パワーＰｗ＝ρ・Ｐｏを選択し、
前記設定手段は、前記第２再生信号品質が所定値となるように前記係数ρを変更することで前記最適記録パワーを設定する
ことを特徴とする光ディスク装置。
【請求項４】
請求項１、２のいずれかに記載の装置において、
前記光ディスクは書き換え可能な光ディスクであり、
前記光ピックアップは、記録時に消去パワー及び記録パワーのレーザ光を順次照射し、
前記第１再生信号品質はβ値、γ値、変調度、アシンメトリのいずれかを含み、
前記第２再生信号品質は、β値、γ値、変調度、エラーレートのいずれか、及びアシンメトリを含み、
前記仮選択手段は、前記第１再生信号品質が所定値となるように選択された記録パワーＰｏに対して係数ρ（ρ≧１．０）を乗じることで前記仮最適記録パワーＰｗ＝ρ・Ｐｏを選択し、
前記設定手段は、前記第２再生信号品質のうちの前記β値、γ値、変調度、エラーレートのいずれかが所定値となるように前記係数ρを変更し、かつ、前記アシンメトリが所定値となるように前記記録パワーに対する前記消去パワーの比率ε（ε＜１．０）を変更することで前記最適記録パワーを設定する
ことを特徴とする光ディスク装置。
【請求項５】
書き換え可能な光ディスクに対してデータを記録する光ディスク装置であって、
消去パワー及び記録パワーのレーザ光を順次照射する光ピックアップと、
前記データを再生する信号処理回路と、
前記信号処理回路で得られた信号に基づき前記光ピックアップの前記記録パワーを制御するコントローラと、
を有し、
前記コントローラは、データ記録に先立ち、
前記記録パワーを複数段に変化させつつ前記光ディスクのテストエリアにテストデータを記録し、
前記信号処理回路で前記テストデータを再生して得られるγ値、変調度、アシンメトリのいずれかが所望の値となる記録パワーＰｏに対して係数ρ（ρ≧１．０）を乗じて得られる記録パワーＰｗ＝ρ・Ｐｏを仮設定し、
前記記録パワーを仮設定した記録パワーＰｗに設定して前記光ディスクのテストエリアに任意の有効なデータを記録し、
前記信号処理回路で前記データを再生して得られるγ値、変調度、エラーレートのいずれかが所望の値となるまで前記係数ρを変化させつつ前記ランダムデータの記録を繰り返すことで前記記録パワーＰｗを最適化する
ことを特徴とする光ディスク装置。
【請求項６】
請求項５記載の装置において、
前記コントローラは、
前記信号処理回路で前記データを再生して得られるγ値、変調度、エラーレートのいずれかが所望の値となるまで前記係数ρを変化させつつ前記データの記録を繰り返し、かつ前記アシンメトリが所望の値となるまで前記消去パワーの前記記録パワーに対する比率ε（ε＜１．０）を変化させつつ前記データの記録を繰り返すことで前記記録パワーＰｗを最適化する
ことを特徴とする光ディスク装置。
【請求項７】
請求項５、６のいずれかに記載の装置において、
前記コントローラは、
前記光ピックアップの前記光ディスクに対するチルト角を変化させたときに前記信号処理回路で前記ランダムデータを再生して得られるジッタ量が最小となるチルト角において前記係数ρを変化させる
ことを特徴とする光ディスク装置。
【発明の詳細な説明】
【技術分野】
【０００１】
本発明は光ディスク装置、特にデータを記録する記録パワーの最適化に関する。
【背景技術】
【０００２】
従来より、ＤＶＤ−ＲＷ、＋ＲＷ、ＤＶＤ−ＲＡＭ等の書き換え可能な光ディスクを駆動する光ディスク装置において、データ記録に先立ち、光ディスクに記録パワーを複数段に変化させてテストデータを記録し、該テストデータを再生して得られる再生信号のγ値や変調度、アシンメトリ等に基づいて最適記録パワーを選択するＯＰＣ（Optimum Power Control）と称する技術が行われている。例えば、変調度を例にとると、記録パワーを０．５ｍＷずつ変化させてテストデータを記録していき、各記録パワーにおけるテストデータの再生信号の変調度を検出する。変調度は記録パワーの増大とともに増大し、ほぼ変調度が飽和する記録パワーＰｏを選択し、この記録パワーＰｏに対して所定の係数ρ（ρ≧１．０であり、通常１．１〜１．３に設定される）を乗じたパワーＰｗ＝ρ・Ｐｏを最適記録パワーに設定し、光ディスクのデータエリアにデータを記録する。なお、書き換え可能な光ディスクにおいては、光ピックアップのＬＤ（レーザダイオード）から消去パワーＰｅ及び記録パワーＰｗのレーザ光を順次射出し、既に記録されたデータを消去パワーＰｅで消去しつつ新たなデータを記録パワーＰｗで記録していく。消去パワーＰｅは記録パワーＰｗから設定され、消去パワーＰｅに対する記録パワーＰｗの比ε＝Ｐｅ／Ｐｗに基づいて設定される。εは例えば０．４等に設定される。
【０００３】
以下の特許文献には、光ディスクのテスト領域（試し書き領域）の記録特性を安定化させた後にＯＰＣを実行することでＯＰＣの精度を向上させる技術が記載されている。
【０００４】
【特許文献１】特開２０００−２５１２５４号公報
【発明の開示】
【発明が解決しようとする課題】
【０００５】
しかしながら、市場に存在する光ディスクの特性は様々であり、たとえテストデータの再生信号品質、例えばγ値や変調度に基づいて最適記録パワーＰｗを選択しても、この記録パワーＰｗでは最適なデータ記録が行えず、再生時に読み取りエラーが生じる、あるいは記録ドライブと異なるドライブでデータを再生することができない等、ドライブ間の互換性が十分確保されない問題があった。
【０００６】
本発明の目的は、従来以上に記録パワーの最適化を図り、もって記録再生特性の向上、あるいはドライブ間の互換性を向上させることができる装置を提供することにある。
【課題を解決するための手段】
【０００７】
本発明は、光ディスクに対してデータの記録を行う光ディスク装置であって、光ピックアップと、前記光ピックアップから射出されるレーザ光の記録パワーを複数段に変化させて前記光ディスクのテストエリアにテストデータを記録し、該テストデータを再生して得られる第１再生信号品質から仮最適記録パワーを選択する仮選択手段と、前記仮最適記録パワーで前記テストエリアに任意の有効なデータを記録し、該データを再生して得られる第２再生信号品質から前記仮最適記録パワーを調整することで最適記録パワーを設定する設定手段と、前記最適記録パワーで前記光ディスクのデータエリアにデータを記録する記録手段とを有することを特徴とする。
【０００８】
本発明では、従来のＯＰＣに加え、ＯＰＣにより得られた記録パワーをさらに微調整するための第２ＯＰＣあるいは付加的ＯＰＣを実行する。ＯＰＣにより得られた最適記録パワーを仮最適記録パワーとし、この仮最適記録パワーでランダムデータ（本来のデータと同様にエンコードされ、所定の記録ストラテジに従いパルストレーンで記録されるデータ）を記録し、該ランダムデータを再生して得られる第２再生信号品質から仮最適記録パワーの妥当性を評価し、仮最適記録パワーを微調整する。
【０００９】
本発明の１つの実施形態では、仮最適記録パワーＰｗは係数ρを用いてＰｗ＝ρ・Ｐｏで算出される。ここに、Ｐｏは第１再生信号品質から選択された記録パワーである。第１再生信号品質として変調度を用いた場合、変調度が所望の値以上となる記録パワーである。また、ランダムデータを記録するための消去パワーＰｅは比率εを用いてＰｅ＝ε・Ｐｗで算出される。Ｐｗ及びＰｅを用いてランダムデータを記録し、ランダムデータの第２再生信号品質から係数ρを変更してＰｗを微調整し、さらに比率εを変更してＰｅを微調整する。第１再生信号品質としては変調度等が用いられ、第２再生信号品質としては変調度やエラーレート、アシンメトリ、β値が用いられる。
【００１０】
本発明は、ＣＤ−ＲＷ、ＤＶＤ−ＲＷ、ＤＶＤ＋ＲＷ、ＤＶＤ−ＲＡＭ等の書き換え可能な光ディスクを駆動するドライブに広く適用できる。また、一部制約があるが、ＣＤ−Ｒ、ＤＶＤ−Ｒ、ＤＶＤ＋Ｒ等の追記型光ディスクを駆動するドライブにも適用することができる。
【発明の効果】
【００１１】
本発明によれば、ＯＰＣで設定された記録パワーを微調整してより最適化することができるため、データの記録品質が向上する。また、読み取りエラーを低減でき、装置（ドライブ）間の互換性が向上する。
【発明を実施するための最良の形態】
【００１２】
以下、図面に基づき本発明の実施形態について説明する。
【００１３】
図１には、本実施形態に係る光ディスク装置の全体構成図が示されている。ＤＶＤ−ＲＷやＤＶＤ＋ＲＷ、ＤＶＤ−ＲＡＭ等の書き換え可能な光ディスク１０はスピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。
【００１４】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２はオートパワーコントロール回路（ＡＰＣ）２４により駆動電流が所望の値となるように制御される。ＡＰＣ２４は、光ディスク１０のテストエリアにおいて実行されたＯＰＣ（Optimum Power Control）により選択された最適記録パワーとなるようにドライバ２２の駆動電流を制御する。ＯＰＣは、一般には光ディスク１０のテストエリアに記録パワーを複数段に変化させてテストデータを記録し、該テストデータを再生してその信号品質を評価し、所望の信号品質が得られる記録パワーを選択する処理である。信号品質には、β値やγ値、変調度、ジッタ等が用いられる。本実施形態では、このＯＰＣ動作を２段階で実行することで、最適記録パワーを設定する。
【００１５】
なお、ＯＰＣで用いるこれらの再生信号品質は公知であるが、簡単に説明すると、β値は、ＲＣ結合された再生ＲＦ信号のピークレベルをＡ、ボトムレベルをＢとすると、β＝（Ａ−Ｂ）／（Ａ＋Ｂ）で定義される。ジッタは、再生ＲＦ信号の２値化信号と同期クロック信号との位相差である。変調度ｍは、ＲＣ結合されていない再生ＲＦ信号のあるデータ長のピークレベルをＣ、ボトムレベルをＤとすると、ｍ＝Ｃ−Ｄ／Ｃで定義される。γ値は変調度ｍの変化率である。アシンメトリは、再生ＲＦ信号の１４Ｔ振幅中心に対して３Ｔ振幅中心がどの程度ずれているかを示す量であり、１４Ｔの最大値Ｉ14Hと最小値Ｉ14L、３Ｔの最大値Ｉ3Hと最小値Ｉ3Lとすると、アシンメトリは以下の式で定義される。
【００１６】
アシンメトリ＝｛（Ｉ14H＋Ｉ14L）／２−（Ｉ3H＋Ｉ3L）／２｝／Ｉ14
なお、Ｉ14は１４Ｔの振幅（Ｉ14H−Ｉ14L）である。３Ｔの振幅中心と１４Ｔの振幅中心がずれていない場合にはアシンメトリ＝０％となり、これは再生ＲＦ信号をＡＣ結合した中心レベルと基準電圧Ｒｅｆレベルとが一致することを意味する。
【００１７】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。また、ＲＦ回路２６は、再生信号をアドレスデコード回路２８に供給する。
【００１８】
アドレスデコード回路２８は、アドレス信号抽出部及びデコード部から構成され、再生信号を２値化してアドレス信号を抽出し、その後抽出したアドレス信号をデコードしてアドレスデータを復調し、サーボプロセッサ３０やシステムコントローラ３２に供給する。アドレス信号はＤＶＤ−ＲＷではＬＰＰ（ランドプリピット）、ＤＶＤ＋ＲＷではＡＤＩＰ（アドレスインプリグルーブ）である。
【００１９】
また、ＲＦ回路２６は、再生ＲＦ信号を２値化回路３４に供給する。２値化回路３４は、再生信号を２値化し、得られた８−１６変調信号をエンコード／デコード回路３６に供給する。エンコード／デコード回路３６では、２値化信号を８−１６復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００２０】
光ディスク１０にデータを記録する際には、ホスト装置からの記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードして８−１６変調データとしてライトストラテジ回路４２に供給する。ライトストラテジ回路４２は、変調データを所定の記録ストラテジに従ってマルチパルス（パルストレーン）に変換し、記録データとしてドライバ２２に供給する。記録ストラテジは、例えばマルチパルスにおける先頭パルスのパルス幅や後続パルスのパルス幅、パルスデューティから構成される。記録ストラテジは記録品質に影響することから、通常はある最適ストラテジに固定される。ＯＰＣ時に記録ストラテジを併せて設定してもよい。記録データによりパワー変調されたレーザ光は光ピックアップ１６のＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化された８−１６変調データはエンコード／デコード回路３６に供給される。エンコード／デコード回路３６は、８−１６変調データをデコードし、バッファメモリ３８に記憶されている記録データと照合する（ベリファイ）。ベリファイの結果はシステムコントローラ３２に供給される。
【００２１】
本実施形態の光ディスク装置は以上のような構成であり、以下、本実施形態のＯＰＣ動作について説明する。
【００２２】
図２には、ＯＰＣ動作の基本フローチャートが示されている。従来装置では、ＯＰＣ動作は１回だけであり、γ値や変調度等が所望の値となる記録パワーを選択し、これをもって最適記録パワーに設定している。これに対し、本実施形態では、まず第１回目のＯＰＣにより記録パワーを粗調整し（Ｓ１０）、さらに第２回目のＯＰＣにより記録パワーを微調整する（Ｓ１１）。第１回目のＯＰＣは、従来のＯＰＣに相当し、レーザ光の記録パワーを複数段に変化させてテストデータを記録し、これらのテストデータを再生して各記録パワー毎の再生信号品質、例えばβ値やγ値、変調度、アシンメトリを検出する。そして、これらの再生信号品質が所望の値となる記録パワーＰｏを選択し、これに係数ρを乗じて記録パワーＰｗ＝ρ・Ｐｏを設定する。本実施形態におけるＰｗは、この時点では最終的な最適記録パワーではなく、粗調整された仮の最適記録パワーである。また、消去パワーＰｅは、記録パワーＰｗに比率εを乗じてＰｅ＝ε・Ｐｗにより設定する。次に、第２回目のＯＰＣは、仮の最適記録パワーＰｗ及びＰｅでランダムデータを１ＥＣＣブロック（１６セクタ）分だけ記録し、このランダムデータを再生して得られる再生信号品質、例えばβ値やγ値、アシンメトリ、エラーレートを検出し、これらが許容範囲内にあるか否かを判定することで実行される。すなわち、実際のデータ記録時と同一の条件でランダムデータを記録し、その再生信号品質が許容範囲内である場合には、第１回目のＯＰＣで仮に設定された記録パワーＰｗで何ら問題ないことになるから、第１回目のＯＰＣで仮設定された記録パワーＰｗ及びこれに基づき設定された消去パワーＰｅを最適記録パワーＰｗ並びに消去パワーＰｅに設定する。一方、実際のデータ記録時と同一の条件でランダムデータを記録し、その再生信号品質が許容範囲外である場合には、第１回目のＯＰＣで仮に設定された記録パワーＰｗの微調整が必要であると判定し、係数ρを変更することで記録パワーＰｗ＝ρ・Ｐｏを微調整する。ρは、例えばデフォルトのρに対してその上方（増大する方向）に所定量あるいは所定比率だけ変更し、また、下方（減少する方向）に所定量あるいは所定比率だけ変更する。記録パワーＰｗを変更して再度ランダムデータを記録し、その再生信号品質が許容範囲内にあるか否かを再び判定する。再度の記録で許容範囲内にあると判定された場合には、そのときの記録パワーＰｗ’＝ρ’・Ｐｏを最終的な最適記録パワーに設定する。また、消去パワーＰｅ＝ε・Ｐｗ’を最適消去パワーに設定する。なお、εを変更することも可能であるが、これについてはさらに詳述する。
【００２３】
図３には、本実施形態の詳細処理フローチャートが示されている。
【００２４】
光ディスク装置（ドライブ）に光ディスクが挿入されると、システムコントローラ３２は、光ディスクに予め記録されているメーカ等の各種ディスク情報を取得する（Ｓ１０１）。同時に、挿入された光ディスクの反射率の大小に基づいて光ディスクの種類を判別する。次に、システムコントローラ３２は、光ピックアップ１６のＬＤから射出されるレーザ光の記録パワーを複数段、例えば８ｍＷから１５ｍＷまで０．５ｍＷ毎に変化させてテストデータをテストエリア（ＰＣＡ）に記録する（Ｓ１０２）。
【００２５】
テストデータを記録した後、システムコントローラ３２は、ＬＤから射出されるレーザ光を再生パワーとしてテストデータを再生し、ＲＦ回路２６からの再生ＲＦ信号の変調度及びアシンメトリを検出し、これらが所望の値となる記録パワーＰｏを選択する（Ｓ１０３）。変調度に関しては所定値以上（７０％以上等）となる記録パワー、アシンメトリに関しては例えば−５％〜１５％のうちのターゲット近傍（０％等）となる記録パワーを選択する。変調度は記録パワーの増大とともに増加し、やがて飽和する。一方、アシンメトリは記録パワーが過剰となるとターゲット値からずれていく。そこで、変調度が所定値以上であって、かつアシンメトリがターゲット近傍のパワーを選択する。選択した記録パワーＰｏに対し、システムのメモリに予め記憶されている係数ρ（１．１等）を用いてＰｗ＝ρ・Ｐｏにより仮の最適記録パワーを設定する（Ｓ１０４）。また、システムのメモリに予め記憶されている比率ε（０．４等）を用いてＰｅ＝ε・Ｐｗにより消去パワーを設定する。
【００２６】
仮の最適記録パワーＰｗ及び消去パワーＰｅを設定した後、システムコントローラ３２はＬＤの記録パワーをＰｗ、消去パワーをＰｅとしてランダムデータを２〜３ＥＣＣブロック分記録する（Ｓ１０５）。なお、ランダムデータを記録する際に、まずテストデータに空き領域が存在するか否かを判定し、十分な空き領域が存在しない場合には記録されているテストデータを消去して空き領域を確保した後にランダムデータを記録してもよい。ランダムデータを２〜３ＥＣＣブロック記録した後、光ピックアップ１６のチルト角を変化させつつランダムデータを再生し、再生信号のジッタ量を検出する。光ピックアップ１６が光ディスクに対して傾いていると再生信号のジッタ量は増大する。システムコントローラ３２は、再生信号のジッタ量が最小となるチルト角を選択し、光ピックアップ１６をチルト制御する（Ｓ１０６）。記録パワーの微調整を実行する前にチルト制御するのは、微調整後にチルト制御したのでは光ディスクにほぼ垂直にレーザ光が照射されるようになるため記録パワーが最適記録パワーより増大して過剰記録となるからである。本実施形態ではＳ１０５でランダムデータを記録するため、その再生信号のジッタ量を用いて最適チルト値を取得することが可能である。
【００２７】
ランダムデータを用いて最適チルト値を取得した後、システムコントローラ３２は次にランダムデータの再生信号の変調度、エラーレート、及びアシンメトリが許容範囲内にあるか否かを判定する。すなわち、まず変調度が所定値以上あるか否かを判定し（Ｓ１０７）、所定値以上ある場合にはさらにエラーレートが所定値以下であるか否かを判定する（Ｓ１０９）。変調度あるいはエラーレートのいずれかが許容範囲外でＮＧと判定された場合、システムコントローラ３２はＳ１０４で仮設定された最適記録パワーＰｗが適切ではなく微調整が必要であると判定し、係数ρの値を変更する（Ｓ１０８）。例えば、ρ＝１．１をρ＝１．２に増大変更する。そして、変更後のρを用いて再び記録パワーＰｗ＝ρ・Ｐｏを設定し（Ｓ１０４）、ランダムデータを記録する（Ｓ１０５）。記録されたランダムデータの変調度及びエラーレートを検出し許容範囲内にあるか否かを判定する（Ｓ１０７、Ｓ１０９）。なお、チルト制御は再度行う必要はない（Ｓ１０６の処理は不実行）。ρ＝１．２に変更しても変調度あるいはエラーレートが許容範囲内にない場合には、システムコントローラ３２はさらにρをρ＝１．３に増大変更し、あるいはρをρ＝１．０に減少変更する。ρの変更アルゴリズムは任意であり、０．１ずつ増大させる、０．１ずつ減少させる、変調度とエラーレートの許容範囲からの偏差に応じて変更量を適応的に増減する等が好適である。また、変調度が所定値以下の場合には記録パワー不足が考えられることからρを増大させ、変調度は所定値以上であるもののアシンメトリがターゲットに対して許容範囲内にない場合には記録パワー過剰が考えられることからρを減少させることが好適である。係数ρの変更処理及び判定処理は、Ｓ１０９にてＹＥＳ、すなわち変調度及びエラーレートがいずれも許容範囲内と判定されるまで繰り返し実行される。変更後の係数ρの値をρ’とする。
【００２８】
係数ρをρ’に変更してランダムデータの変調度及びエラーレートがいずれもＯＫと判定された場合、システムコントローラ３２はさらにアシンメトリが許容範囲内にあるか否かを判定する（Ｓ１１０）。アシンメトリも許容範囲内にあれば、Ｐｗ’＝ρ’・Ｐｏが最適記録パワーとなり、光ディスクのデータエリアにホストから供給されたデータをエンコードし、所定の記録ストラテジに従って記録する（Ｓ１１２）。一方、アシンメトリが許容範囲内にない場合には、消去パワーＰｅが必ずしも適当ではないと考えられることから、システムコントローラ３２は比率εを変更して消去パワーＰｅを微調整する（Ｓ１１１）。図４には、ＬＤから射出されるレーザ光のパワー変化が示されている。レーザ光パワーは、再生パワーに消去パワーＰｅ及び記録パワーＰｗが重畳されて構成され、消去パワーＰｅで前のデータを消去しつつ記録パワーのパルストレーンでデータを記録する。比率εはε＝Ｐｅ／Ｐｗで定義され、通常はεは固定値（０．４程度）であるが、Ｓ１１１ではεを変更することでＰｅを増減する。具体的には、アシンメトリがターゲットに対して＋側に過剰である場合にはε＝０．４からε＝０．３５等と減少させて消去パワーを減少させ、ターゲットに対して−側に過剰である場合にはε＝０．４から０．４５等と増大させて消去パワーを増大させる。アシンメトリに応じてεを変更した後、再びランダムデータを記録する（Ｓ１０５）。このとき、Ｐｗ’＝ρ’・Ｐｏは変更せずその値を維持する。アシンメトリは、消去パワーＰｅのみならず記録パワーＰｗ’によっても変化するが、変調度は既に許容範囲内にあるため記録パワーＰｗ’を変化させることなく消去パワーＰｅのみを変化させる。ランダムデータを再度記録した後、その再生信号の変調度及びエラーレート並びにアシンメトリを検出して許容範囲内にあるか否かを判定し、許容範囲内になるまでεの変更処理及び判定処理を繰り返す。なお、εを変更してランダムデータを再度記録した場合、変調度及びエラーレートは判定せずアシンメトリだけ判定してもよい。以上のようにして比率εはε’に変更され、変調度、エラーレート、アシンメトリのいずれもが許容範囲内となり、最終的にシステムコントローラ３２はＰｗ’＝ρ’・Ｐｏ、Ｐｅ＝ε’・Ｐｗ’をそれぞれ最適記録パワー及び最適消去パワーとして設定する。
【００２９】
以上、本発明の実施形態について説明したが、本発明はこれに限定されるものではなく種々の変更が可能である。
【００３０】
例えば、本実施形態では、Ｓ１０３にて変調度及びアシンメトリが許容範囲内にあるか否かを判定しているが、変調度のみに基づいて記録パワーＰｏを選択してもよい。また、Ｓ１０７、Ｓ１０９にてそれぞれ変調度、エラーレートが許容範囲内にあるか否かを判定しているが、エラーレートのみを判定の対象としてもよい。すなわち、第１ＯＰＣでは変調度を対象とし、第２ＯＰＣではエラーレート及びアシンメトリを対象としてもよい。また、第１ＯＰＣではβ値、γ値、変調度、アシンメトリのすべてを用いて粗調整し、第２ＯＰＣではβ値、γ値、変調度、エラーレート、アシンメトリのすべてを用いて微調整してもよい。
【００３１】
上記の実施形態において、図３のＳ１０６に示される最適チルト値取得動作は、全くユーザデータが書かれていないディスク（いわゆる「バージンディスク」）に対してのみ行えばよい。既にユーザデータ領域に何らかのデータが記録されている場合は、そのユーザデータが書かれているトラックを再生することで、最適チルト値取得動作を実行できるからである。したがって、ディスク装着時にＴＯＣ領域あるいはテスト領域を読み取り、当該ディスクがバージンディスクであるか否かを検証し、バージンディスクであれば図３に示されるとおりの動作を実行し、バージンディスクでない場合はその直後にユーザデータ領域に記録済トラックを再生して最適チルト値取得動作を行い、実際の記録動作においては図３のＳ１０６の動作を省略できる。
【００３２】
また、上記の実施形態では、相変化型等の書き換え可能な光ディスクにおける実施形態であるが、本発明は書き換え型光ディスクに限らず、ＣＤ−Ｒ、ＤＶＤ−Ｒ、ＤＶＤ＋Ｒ等の追記型光ディスクにも適用可能である。追記型光ディスクには消去動作が存在しないので、消去パワーに関係する比率εの設定動作であるＳ１１１は図３から省略される。また、バージンディスクでない場合は、波形の整い具合を示す指標であるβ値とアシンメトリの何れかを監視して、記録パワーＰｗを追い込む動作となる。
【００３３】
さらに、本実施形態では第２ＯＰＣにおいてランダムデータを記録しているが、ランダムデータに限るものではない。すなわち、従来のＯＰＣにおけるような記録パワーを複数段に変化させた階段状波形ではなく、データとして意味のある記録波形（有効なデータ）であればよく、固定データを用いることもできる。また、β値やγ値、変調度、アシンメトリはデータを１ＥＣＣブロック分記録しなくても評価が可能であり、エラーレートに関しては復調を完遂させるためにデータを少なくとも１ＥＣＣブロック分記録する必要がある。
【図面の簡単な説明】
【００３４】
【図１】実施形態に係る光ディスク装置の全体構成図である。
【図２】実施形態の基本フローチャートである。
【図３】実施形態の詳細フローチャートである。
【図４】記録時のレーザ光パワー説明図である。
【符号の説明】
【００３５】
１０  光ディスク、１６  光ピックアップ、２８  アドレスデコード回路、３２  システムコントローラ。
【図１】
2006099900.tif 000003
【図２】
2006099900.tif 000004
【図３】
2006099900.tif 000005
【図４】
2006099900.tif 000006